(57)【要約】【課題】各記録媒体に、記録媒体のそれぞれを領域分割した各領域へ原稿情報に含まれる複数頁の内容を示す画像を形成する場合でも、次の記録媒体への出力が開始される位置を示す位置情報に応じた出力結果を得ることができる画像処理装置及びプログラムを提供する。【解決手段】複数頁のコンテンツ４２と、次の記録媒体への出力が開始される位置を示す位置情報４４とを含む原稿情報４０を取得する。記録媒体を領域分割したそれぞれの領域に対する頁の配置を示す配置情報４６を取得する。位置情報４４が示す位置に応じて、配置情報４６が示す頁の配置を変更し、変更される頁の配置に従って、原稿情報４０に含まれる複数頁のコンテンツ４２を示す画像を記録媒体に配置した出力画像を形成する。【選択図】図７
2009087186.tif 000002
【特許請求の範囲】
【請求項１】
複数頁の内容と、次の記録媒体への出力が開始される位置を示す位置情報とを含む原稿情報を取得する原稿情報取得手段と、
記録媒体を領域分割したそれぞれの領域に対する頁の配置を示す配置情報を取得する配置情報取得手段と、
前記位置情報が示す位置に応じて、前記配置情報が示す頁の配置を変更する配置変更手段と、
前記配置変更手段により変更される頁の配置に従って、前記原稿情報に含まれる複数頁の内容を示す画像を記録媒体に配置した出力画像を形成する出力画像形成手段と、
を含むことを特徴とする画像処理装置。
【請求項２】
前記配置変更手段が、前記位置情報に応じて、前記領域のうちの少なくとも一つに空白の画像を配置する、
ことを特徴とする請求項１に記載の画像処理装置。
【請求項３】
前記配置変更手段が、前記位置情報が示す位置以前の頁と、前記位置情報が示す位置以後の頁とを異なる記録媒体に配置する、
ことを特徴とする請求項１又は２に記載の画像処理装置。
【請求項４】
前記配置変更手段によって前記記録媒体の一面全体に頁が配置されない場合に、前記出力画像形成手段によるその面への出力画像の形成を抑制する出力画像形成抑制手段をさらに含む、
ことを特徴とする請求項１乃至３に記載の画像処理装置。
【請求項５】
複数頁の内容と、次の記録媒体への出力が開始される位置を示す位置情報とを含む原稿情報を取得する原稿情報取得手段、
記録媒体を領域分割したそれぞれの領域に対する頁の配置を示す配置情報を取得する配置情報取得手段、
前記位置情報が示す位置に応じて、前記配置情報が示す頁の配置を変更する配置変更手段、
前記配置変更手段により変更される頁の配置に従って、前記原稿情報に含まれる複数頁の内容を示す画像を記録媒体に配置した出力画像を形成する出力画像形成手段、
としてコンピュータを機能させることを特徴とするプログラム。
【発明の詳細な説明】
【技術分野】
【０００１】
本発明は、画像処理装置及びプログラムに関する。
【背景技術】
【０００２】
合紙を挿入する位置や、次の用紙への出力を指示する位置などを示す位置情報と、出力対象となる複数頁の内容（コンテンツ）とを含む原稿情報を利用者から受け付け、その位置情報が示す位置以降の原稿の画像が次の用紙に形成される画像処理装置が存在する。
【０００３】
例えば、特許文献１には、合紙の原稿を印刷する際の印刷形式を、他の原稿とは異なるよう設定して印刷する技術が開示されている。
【特許文献１】特開２００３−２４１９１５号公報
【発明の開示】
【発明が解決しようとする課題】
【０００４】
しかし、利用者から受け付けた原稿情報に対して、面付けソフトウェアなどにより面付け処理を施した上で画像を形成する際に、原稿情報に含まれる位置情報が示す位置以降の原稿の画像が次の用紙に形成されない場合があった。
【０００５】
このことは、面付け処理を施した上で原稿情報に含まれる頁の内容を示す画像を形成する場合に限らず、各用紙（記録媒体）に、記録媒体のそれぞれを領域分割した各領域へ頁を配置した上で、原稿情報に含まれる頁の内容を示す画像を形成する場合全般においてあてはまる。
【課題を解決するための手段】
【０００６】
請求項１に記載の発明は、画像処理装置であって、複数頁の内容と、次の記録媒体への出力が開始される位置を示す位置情報とを含む原稿情報を取得する原稿情報取得手段と、記録媒体を領域分割したそれぞれの領域に対する頁の配置を示す配置情報を取得する配置情報取得手段と、前記位置情報が示す位置に応じて、前記配置情報が示す頁の配置を変更する配置変更手段と、前記配置変更手段により変更される頁の配置に従って、前記原稿情報に含まれる複数頁の内容を示す画像を記録媒体に配置した出力画像を形成する出力画像形成手段と、を含むこととしたものである。
【０００７】
請求項２に記載の発明は、請求項１に記載の画像処理装置であって、前記配置変更手段が、前記位置情報に応じて、前記領域のうちの少なくとも一つに空白の画像を配置する、こととしたものである。
【０００８】
請求項３に記載の発明は、請求項１又は２に記載の画像処理装置であって、前記配置変更手段が、前記位置情報が示す位置以前の頁と、前記位置情報が示す位置以後の頁とを異なる記録媒体に配置する、こととしたものである。
【０００９】
請求項４に記載の発明は、請求項１乃至３に記載の画像処理装置であって、前記配置変更手段によって前記記録媒体の一面全体に頁が配置されない場合に、前記出力画像形成手段によるその面への出力画像の形成を抑制する出力画像形成抑制手段をさらに含む、こととしたものである。
【００１０】
請求項５に記載の発明は、プログラムであって、複数頁の内容と、次の記録媒体への出力が開始される位置を示す位置情報とを含む原稿情報を取得する原稿情報取得手段、記録媒体を領域分割したそれぞれの領域に対する頁の配置を示す配置情報を取得する配置情報取得手段、前記位置情報が示す位置に応じて、前記配置情報が示す頁の配置を変更する配置変更手段、前記配置変更手段により変更される頁の配置に従って、前記原稿情報に含まれる複数頁の内容を示す画像を記録媒体に配置した出力画像を形成する出力画像形成手段、としてコンピュータを機能させることとしたものである。
【００１１】
また、上記のプログラムはコンピュータ可読な情報記憶媒体に格納することもできる。
【発明の効果】
【００１２】
請求項１，５に記載の発明によれば、位置情報が示す位置に応じて、頁の配置が変更されるので、本構成を有しない場合と比較して、各記録媒体に、記録媒体のそれぞれを領域分割した各領域へ原稿情報に含まれる複数頁の内容を示す画像を形成する場合でも、次の記録媒体への出力が開始される位置を示す位置情報に応じた出力結果を得ることができる。
【００１３】
請求項２に記載の発明によれば、位置情報に応じた空白の画像の配置をすることができる。
【００１４】
請求項３に記載の発明によれば、位置情報に応じた分冊をすることができる。
【００１５】
請求項４に記載の発明によれば、前記記録媒体の一面全体に頁が配置されない場合に、その面への出力画像の形成が抑制されるので、本構成を有しない場合と比較して、画像の形成の負荷を下げることができる。
【発明を実施するための最良の形態】
【００１６】
以下、本発明の実施形態について図面に基づき詳細に説明する。
【００１７】
図１は、本実施形態に係る画像処理装置１０のハードウェア構成を示した図である。本発明の実施の形態に係る画像処理装置１０は、例えばプリンタとしての機能を有する装置と一体的に構成される。すなわち、図１に例示するように、画像処理装置１０は、制御部１２、記憶部１４、ユーザインタフェース（ＵＩ）部１６、プリンタ部１８、入出力部２０を含んで構成される。制御部１２、記憶部１４、ＵＩ部１６、プリンタ部１８、入出力部２０は、バス２２を介して接続される。
【００１８】
制御部１２は、Central Processing Unit（ＣＰＵ）などのプログラム制御デバイスであり、画像処理装置１０にインストールされる画像処理プログラムに従って動作する。なお、この画像処理プログラムは、例えば、ＣＤ−ＲＯＭ、ＤＶＤ−ＲＯＭなどのコンピュータ可読な情報伝達媒体を介して、あるいは、インターネットなどの通信ネットワークを介して画像処理装置１０に供給される。
【００１９】
なお、制御部１２は、画像処理プログラムが画像処理装置１０に提供する機能を実装した制御回路などであっても構わない。
【００２０】
記憶部１４は、Random Access Memory（ＲＡＭ）などの記憶素子やハードディスクなどである。記憶部１４には、制御部１２によって実行されるプログラムなどが格納される。また、この記憶部１４は、制御部１２のワークメモリとしても動作する。
【００２１】
ＵＩ部１６は、液晶タッチパネルや、ディスプレイ、テンキーなどのキーパッドなどであり、利用者が行った操作の内容を制御部１２に出力する。また、このＵＩ部１６は、制御部１２から入力される指示に従って情報を表示出力する。
【００２２】
プリンタ部１８は、制御部１２から入力される指示に従って、用紙などの記録媒体に画像を形成する。
【００２３】
入出力部２０は、例えば、Universal Service Bus（ＵＳＢ）インタフェースや、ネットワークインタフェースなどであり、制御部１２から入力される指示に従って、ネットワーク（図示せず）やバス（図示せず）を介して、パーソナルコンピュータ（図示せず）などへ情報を送信する。また、この入出力部２０は、ネットワークやバスを介して受信される情報を制御部１２に出力する。
【００２４】
次に、画像処理装置１０で実現される機能について説明する。画像処理装置１０は、機能的には、図２の機能ブロック図に示すように、原稿取得部３０、配置情報取得部３２、配置変更部３４、出力画像形成部３６を含むものとして機能する。
【００２５】
原稿取得部３０は制御部１２を主として実現される。原稿取得部３０は、図３の概念図に示す、複数頁の内容（コンテンツ）４２と、次の記録媒体への出力が開始される位置を示す位置情報４４とを含む原稿情報４０を取得する。原稿取得部３０は、例えば、利用者によりパーソナルコンピュータなどから入出力部２０に送信される原稿情報４０を取得する。
【００２６】
位置情報４４は、例えば、図３の概念図に示すように、「第３頁と第４頁との間に合紙を挿入すること」、すなわち、「第４頁以降の画像は、第３頁までの画像が形成された記録媒体の次の記録媒体に形成し、第３頁までの画像が形成された記録媒体と、その次の記録媒体との間に合紙を挿入すること」や、「第４頁以降を第３頁とは異なる記録媒体に出力すること」などのように、次の記録媒体への出力が開始される位置（例えば、新たな章が始まる位置）を示す情報である。なお、位置情報４４は、次の記録媒体への出力が開始される位置で行う処理（例えば、合紙の挿入）を示す情報を含んでもよい。
【００２７】
一般的に、原稿情報４０に含まれる位置情報４４は、原稿情報４０に含まれるコンテンツ４２（いわゆる、実データ）とは独立して管理される情報（いわゆる、仮想データ）である。
【００２８】
配置情報取得部３２は制御部１２を主として実現される。配置情報取得部３２は、図４（ａ）の概念図に示す、記録媒体を領域分割したそれぞれの領域に対する頁の配置を示す配置情報４６を取得する。
【００２９】
配置情報４６は、小冊子を作成する場合など、コンテンツ４２の利用形態などに応じてコンテンツ４２の各頁の画像の配置を柔軟に設定するために、原稿情報４０とは独立して利用者によって入力される情報である。なお、図４（ａ）に示す概念図は、配置情報４６の表現方法の一例にすぎない。配置情報４６の他の表現方法として、例えば、「２頁掛け」、「４頁掛け」、「８面付け」、「１６面付け」、「見開き連続」など、記録媒体の一面に複数頁のコンテンツ４２を示す画像をどのように配置するか（記録媒体に配置される頁数や配置順など）を表す情報（以下、「面付けの方法を示す情報」と呼ぶ。）、「片面印刷」、「両面印刷」といった印刷される面を示す情報、「左綴じ」、「右綴じ」といった綴じ方を示す情報、「４頁の画像を１面に形成する処理」といった一面に形成する頁の数を示す情報、などが挙げられる。
【００３０】
配置情報取得部３２は、例えば、ＵＩ部１６に、図５に例示する画面４８を表示出力し、利用者に面付け処理のオプションなどの配置情報４６の入力を促し、利用者によってＵＩ部１６に入力された配置情報４６を取得する。もちろん、配置情報取得部３２は、利用者によりパーソナルコンピュータなどから入出力部２０に送信される配置情報４６を取得してもよい。
【００３１】
ここで、図４（ａ）の概念図に示す配置情報４６が示す頁の配置に従って、原稿情報４０に含まれる複数頁のコンテンツ４２を示す画像を記録媒体に配置した出力画像を形成したとしても、位置情報４４（仮想データ）が示す位置から次の記録媒体への出力が開始されることとはならない。
【００３２】
配置変更部３４は制御部１２を主として実現される。配置変更部３４は、位置情報４４が示す位置に応じて、配置情報４６が示す頁の配置を変更する。配置変更部３４は、図３の概念図が示す位置情報４４に応じて、図４（ａ）の概念図が示す配置情報４６に対して、例えば、「第４頁が配置される領域に、空白の画像を配置し、第５頁以降が配置される領域については、その領域に配置されることになっていた頁の番号を減らす。」という配置変更処理を行う。すなわち、例えば、第５頁が配置されることになっていた領域に第４頁が配置され、第６頁が配置されることになっていた領域に第５頁が配置されることとなる。このようにして、図４（ａ）の概念図が示す配置情報４６が、図４（ｂ）の概念図が示す配置情報４６に変更される。
【００３３】
出力画像形成部３６は、制御部１２とプリンタ部１８を主として実現される。出力画像形成部３６は、配置変更部３４により変更される頁の配置（図４（ｂ）参照）に従って、原稿情報４０に含まれる複数頁のコンテンツ４２を示す画像を記録媒体に配置した出力画像を形成する。
【００３４】
その後、画像が形成された用紙などの記録媒体は、配置情報４６が示す面付けの方法などに対応する綴じ方によって綴じられて、小冊子などが作成される。
【００３５】
なお、配置情報４６が、「左綴じ」や「右綴じ」といった、綴じ方を示す場合には、配置変更部３４は、位置情報４４が示す位置の直後の頁（以下、「区切り頁」と呼ぶ。図３の概念図に示す例では第４頁を指す。）を、右綴じの場合は記録媒体の左側の領域に、左綴じの場合は記録媒体の右側の領域に配置するために、空白の画像を配置する必要がある頁数を計算してもよい。
【００３６】
そして、配置変更部３４は、その頁数の空白の画像を、区切り頁が配置されることになっていた領域から順に配置し、区切り頁以降が配置されることになっていた領域であって空白の画像が配置されない領域については、その領域に配置されることになっていた頁の番号を、計算された頁数に対応する数だけ減らしてもよい。
【００３７】
このように、記録媒体を領域分割した領域に配置される、空白の画像の数を、配置情報４６が示す綴じ方に基づいて計算してもよい。また、計算された頁数に基づいて、配置情報４６が示す頁の配置を変更してもよい。
【００３８】
もちろん、配置変更部３４による配置変更処理の方法は上記のものに限られない。例えば、配置変更部３４は、各領域と頁番号との対応付けを変更することによって頁の配置を変更してもよい。
【００３９】
次に、画像処理装置１０による処理の一例を、図６に示すフロー図を参照しながら説明する。
【００４０】
まず、原稿取得部３０は、図３の概念図に示す、７頁のコンテンツ４２と、第３頁と第４頁の間に合紙を挿入することを示す位置情報４４を含む原稿情報４０を取得する（Ｓ１０１）。
【００４１】
そして、配置情報取得部３２は、図４（ａ）の概念図に示す、２枚の記録媒体の表面、裏面それぞれを領域分割した各領域への、各前記頁の配置を示す配置情報４６を取得する（Ｓ１０２）。
【００４２】
そして、配置変更部３４は、第３頁と第４頁の間に合紙を挿入するという位置情報４４に応じて、図４（ａ）の概念図に示す配置情報４６の第４頁が配置される領域に、空白の画像を配置する（Ｓ１０３）。そして、第５頁以降が配置される領域について、その領域に配置されることになっていた頁の番号を減らす（Ｓ１０４）。こうすることで、図４（ａ）の概念図に示す配置情報４６を図４（ｂ）の概念図に示す配置情報４６に変更する。
【００４３】
そして、出力画像形成部３６は、図４（ｂ）の概念図に示す配置情報４６に示される頁の配置に従って、コンテンツ４２の各頁の画像を複数枚の記録媒体に配置した出力画像の形成をプリンタ部１８に指示する（Ｓ１０５）。そして、プリンタ部１８は出力画像を形成し出力する。
【００４４】
ここまでの説明では、配置変更部３４は、位置情報４４に応じて、配置情報４６が示す領域のうちの少なくとも一つに空白の画像を配置することで、配置情報４６の変更を行ったが、位置情報４４が示す位置以前の頁と、位置情報４４が示す位置以後の頁とを異なる記録媒体に配置することで、配置情報４６の変更を行ってもよい。
【００４５】
具体的には、図３の概念図に示す位置情報４４が、「第３頁までの画像と、第４頁以降の画像とを異なる記録媒体に形成し、その間に合紙を挿入する。」ことを示しているので、これに応じて、配置変更部３４は、第１頁から第３頁までを１枚目の記録媒体に、第４頁から第７頁までを２枚目の記録媒体に分冊し、それぞれの分冊に対して、改めて配置情報４６に従って頁を配置することによって、配置情報４６を変更する。このようにして、図４（ａ）の概念図が示す配置情報４６が、図４（ｃ）の概念図が示す配置情報４６に変更される。
【００４６】
このとき、配置変更部３４は、さらに、１枚目の記録媒体と２枚目の記録媒体との間に合紙を出力することを出力画像形成部３６に指示する情報を生成してもよい。この場合、出力画像形成部３６は、複数頁のコンテンツ４２を示す画像を記録媒体に配置した出力画像を形成すると共に、１枚目の記録媒体と２枚目の記録媒体の間に合紙を出力する。
【００４７】
また、ここまでの説明では、原稿取得部３０が取得する原稿情報４０に含まれる位置情報４４は、合紙を挿入する位置を示す情報であったが、位置情報４４が示す情報はこの限りではない。例えば、位置情報４４が示す情報は、図７（ａ）の概念図に示すように、用紙変えの位置、すなわち、次の記録媒体への出力が開始される位置を示す情報であっても構わない。図７（ａ）の概念図が示す位置情報４４は、「第２頁以降を第１頁とは異なる記録媒体に出力する。」ことを示している。
【００４８】
原稿取得部３０が図７（ａ）に示す原稿情報４０を取得し、配置情報取得部３２が図７（ｂ）に示す配置情報４６を取得した場合は、配置変更部３６は、例えば、第１頁を１枚目の記録媒体に、第２頁から第７頁までを２枚目の記録媒体に分冊し、それぞれの分冊に対して、改めて配置情報４６に従って頁を配置することによって、図７（ｂ）に示す配置情報４６を、例えば、図７（ｃ）に示す配置情報４６に変更してもよい。
【００４９】
また、このとき、図７（ｃ）の概念図に示すように、１枚目の裏面には頁が配置されないこととなる。すなわち、１枚目の裏面には全て空白の画像が配置されることとなる。このように、記録媒体の一面全体に頁が配置されない場合には、出力画像形成部３６はその面への出力画像の形成を抑制してもよい。具体的には、１枚目の裏面の出力画像を形成する際に、この面の画像の形成を抑制するようにしてもよい。
【００５０】
また、ここまでの説明では、配置情報４６は、面付け処理を施す場合における頁の配置を示すものであったが、複数（例えば、４頁）の画像を１面に形成する場合における頁の配置を示すものであってもよい。
【００５１】
例えば、原稿取得部３０が図８（ａ）の概念図に例示する原稿情報４０及び位置情報４４を取得し、配置情報取得部３２が図８（ｂ）の概念図に例示する配置情報４６を取得した場合に、配置変更部３４は、第２頁と第３頁の間に合紙を挿入するという位置情報４４に応じて、図８（ｂ）の概念図に例示する第３頁から第８頁が配置される位置に、空白の画像を配置し、第９頁以降が配置される領域については、その領域に配置されることになっていた頁の番号を６だけ減らすことで、図８（ｂ）の概念図に示す頁の配置を図８（ｃ）の概念図に示す頁の配置に変更してもよい。
【００５２】
このように、配置変更部３４は、複数の画像を１面に形成する場合において、記録媒体を領域分割した領域に配置される空白の画像の数を、１面に形成される画像の数に基づいて計算してもよい。また、計算された頁数に基づいて、配置情報４６が示す頁の配置を変更してもよい。
【００５３】
あるいは、配置変更部３４は、第２頁と第３頁の間に合紙を挿入するという位置情報４４に応じて、第１頁から第２頁までを１枚目に、第３頁から第７頁までを２枚目に配置する分冊し、それぞれの分冊に対して、改めて配置情報４６に従って頁を配置することによって、図８（ｂ）の概念図に示す頁の配置を図８（ｃ）の概念図に示す頁の配置に変更してもよい。
【００５４】
もちろん、配置変更部３４が、位置情報４４が示す位置に応じて、前記配置情報４６が示す頁の配置を変更する方法は上記の方法には限られない。
【００５５】
なお、本発明は上記実施形態に限定されるものではない。
【００５６】
例えば、画像処理装置１０は、一つの筐体により構成されていても、複数の筐体により構成されていてもよい。
【図面の簡単な説明】
【００５７】
【図１】本発明の一実施形態に係る画像処理装置のハードウェア構成の一例を示す図である。
【図２】本発明の一実施形態に係る画像処理装置の機能ブロック図である。
【図３】原稿情報の一例を示す概念図である。
【図４】配置情報の一例を示す概念図である。
【図５】ユーザインタフェース（ＵＩ）部に表示される画面の一例を示す図である。
【図６】本発明の画像処理装置で行われる処理のフローの一例を示す図である。
【図７】原稿情報及び配置情報の一例を示す概念図である。
【図８】原稿情報及び配置情報の一例を示す概念図である。
【符号の説明】
【００５８】
１０  画像処理装置、１２  制御部、１４  記憶部、１６  ユーザインタフェース（ＵＩ）部、１８  プリンタ部、２０  入出力部、２２  バス、３０  原稿取得部、３２  配置情報取得部、３４  配置変更部、３６  出力画像形成部、４０  原稿情報、４２  コンテンツ、４４  位置情報、４６  配置情報、４８  画面。
【図１】
2009087186.tif 000003
【図２】
2009087186.tif 000004
【図３】
2009087186.tif 000005
【図４】
2009087186.tif 000006
【図５】
2009087186.tif 000007
【図６】
2009087186.tif 000008
【図７】
2009087186.tif 000009
【図８】
2009087186.tif 000010